(57)【要約】【課題】複数個の菱形のパターンが複数本の導体線で形成されているタッチパネルに対し、視認性が低下することを抑制することが可能なタッチパネルを提供する。【解決手段】一つの開口部２を囲む四本の線４ａ〜線４ｄからなる複数個の菱形のパターンＲＰが複数本の第一導体線１４及び第二導体線２４で形成されているタッチパネル１であって、交差せずに配置された複数本の第一導体線１４を含む第一導電層と、第一導電層に積層され、且つ交差せずに配置された複数本の第二導体線２４を含む第二導電層を備え、第二導電層２０に第一導電層１０を積層した状態の平面視で、第一導体線１４と第二導体線２４は、それぞれ、複数個の菱形のパターンＲＰが形成されるように配置されている。【選択図】図２
2018026055.tif 000002
【特許請求の範囲】
【請求項１】
一つの開口部を囲む四本の線からなる複数個の菱形のパターンが複数本の導体線で形成されているタッチパネルであって、
交差せずに配置された複数本の導体線を含む第一導電層と、前記第一導電層に積層され、且つ交差せずに配置された複数本の導体線を含む第二導電層と、を備え、
前記第二導電層に前記第一導電層を積層した状態の平面視で、前記第一導電層が含む導体線と前記第二導電層が含む導体線は、それぞれ、前記複数個の菱形のパターンが形成されるように配置されていることを特徴とするタッチパネル。
【請求項２】
二本の前記導体線が連結された連結点には、前記平面視で、前記連結された二本の導体線がなす角度が鋭角である導体線側鋭角部が形成され、
前記導体線側鋭角部の数は、前記複数個の菱形のパターンが有する鋭角部である菱形側鋭角部の数の５０％未満であることを特徴とする請求項１に記載したタッチパネル。
【請求項３】
前記導体線は、電極に接続された複数本の主電極線と、電極に接続された複数本の副電極線と、を含み、
前記複数本の主電極線は、前記平面視で予め設定した方向に連続するパターンである複数の主電極線群を形成し、
前記複数の主電極線群同士は、前記副電極線のみで連結されていることを特徴とする請求項１または請求項２に記載したタッチパネル。
【請求項４】
前記導体線は、電極に接続されない複数本のダミー線をさらに含み、
前記主電極線及び前記副電極線のうち少なくとも一方と前記ダミー線とが交差して形成された四本の線のうち、前記主電極線及び前記副電極線の数と前記ダミー線の数との比率は、３：１、２：２、１：３、０：４のうちいずれか一つであることを特徴とする請求項３に記載したタッチパネル。
【請求項５】
前記ダミー線の長さ方向に沿った仮想直線と前記主電極線とのなす角度が鋭角となるように配置されているダミー線と主電極線との間には、空隙部が形成されていることを特徴とする請求項４に記載したタッチパネル。
【請求項６】
前記ダミー線の長さ方向に沿った仮想直線と前記副電極線とのなす角度が鋭角となるように配置されているダミー線と副電極線との間には、空隙部が形成されていることを特徴とする請求項４または請求項５に記載したタッチパネル。
【請求項７】
二本の前記ダミー線が交差する位置には、空隙部が形成されていることを特徴とする請求項４から請求項６のうちいずれか１項に記載したタッチパネル。
【請求項８】
前記導体線は、前記一つの開口部を囲む四本の線のうち一本の線の長さであるピッチの１倍以上６倍以下に長さが設定された直線部分を有することを特徴とする請求項１から請求項７のうちいずれか１項に記載したタッチパネル。
【請求項９】
前記導体線が有する直線部分の長さは、前記ピッチの１倍以上４倍以下に設定されていることを特徴とする請求項８に記載したタッチパネル。
【発明の詳細な説明】
【技術分野】
【０００１】
本発明は、例えば、携帯通信端末が備えるタッチパネル等、表示装置に積層されるタッチパネルに関する。
【背景技術】
【０００２】
表示装置が備えるタッチパネルに、金属製の細線（金属細線）でパターンを形成する技術としては、例えば、特許文献１に記載されている技術がある。
特許文献１には、透明基体の一方の面上に形成する導電部を、一つの開口部と、開口部を囲む四つの金属細線を組み合わせて、菱形のメッシュパターンを形成する技術が記載されている。
【先行技術文献】
【特許文献】
【０００３】
【特許文献１】特開２０１２−１６３９３３号公報
【発明の概要】
【発明が解決しようとする課題】
【０００４】
特許文献１に記載されている技術では、透明基体の一方の面上、すなわち、同じ層が含む金属細線同士が交差（十文字に交差）して、菱形のメッシュパターンを形成している。
このため、同じ層が含む金属細線同士が交差している部分では、他の部分（金属細線同士が離間している部分等）と比較して、ウェットエッチングによるエッチング残り等によって金属細線の線幅が太くなり、タッチパネルの視認性が低下するという問題点がある。
本発明は、上記のような問題点に着目してなされたもので、視認性の低下を抑制することが可能な、タッチパネルを提供することを目的とする。
【課題を解決するための手段】
【０００５】
上記課題を解決するために、本発明の一態様は、一つの開口部を囲む四本の線からなる複数個の菱形のパターンが複数本の導体線で形成されているタッチパネルである。そして、交差せずに配置された複数本の導体線を含む第一導電層と、第一導電層に積層され、且つ交差せずに配置された複数本の導体線を含む第二導電層と、を備える。
これに加え、第二導電層に第一導電層を積層した状態の平面視で、第一導電層が含む導体線と第二導電層が含む導体線は、それぞれ、複数個の菱形のパターンが形成されるように配置されている。
【発明の効果】
【０００６】
本発明の一態様によれば、第一導電層及び第二導電層のそれぞれで、複数本の導体線が交差しないようにしたことで、導体線（金属細線）の線幅が太くなることを抑制することが可能となる。
このため、複数個の菱形のパターンが複数本の導体線で形成されているタッチパネルに対し、視認性が低下することを抑制することが可能となる。
【図面の簡単な説明】
【０００７】
【図１】本発明の第一実施形態のタッチパネルを表す平面図である。
【図２】図１中に破線で囲んだ領域ＩＩの拡大図である。
【図３】図２のＩＩＩ‐ＩＩＩ線断面図である。
【図４】第一導電層を表す平面図である。
【図５】第一主電極線及び第一副電極線の数と第一ダミー線の数との比率を表す図である。
【図６】二本の第一ダミー線が交差する位置に、空隙部が形成されている状態を表す図である。
【図７】二本の第一ダミー線が交差する位置に、空隙部を形成する処理を表す図である。
【図８】第二導電層を表す平面図である。
【図９】第一導体線と第二導体線との積層状態を表す図である。
【図１０】本発明の第一実施形態の変形例を表す図である。
【図１１】本発明の第一実施形態の変形例を表す図である。
【図１２】本発明の第一実施形態の変形例を表す図である。
【図１３】本発明の第一実施形態の変形例を表す図である。
【図１４】本発明の実施例で用いる比較例のタッチパネルを表す平面図である。
【図１５】本発明の実施例で用いる本発明例１のタッチパネルを表す平面図である。
【図１６】本発明の実施例で用いる本発明例２のタッチパネルを表す平面図である。
【発明を実施するための形態】
【０００８】
以下の詳細な説明では、本発明の実施形態について、完全な理解を提供するように、特定の細部について記載する。しかしながら、かかる特定の細部が無くとも、一つ以上の実施形態が実施可能であることは明確である。また、図面を簡潔なものとするために、周知の構造及び装置を、略図で表す場合がある。
【０００９】
（第一実施形態）
以下、本発明の第一実施形態について、図面を参照しつつ説明する。
（構成）
図１から図９を参照して、タッチパネル１の構成について説明する。
（タッチパネル１の概略構成）
図１及び図２中に表すタッチパネル１は、例えば、カーナビゲーションシステム等が備える。
【００１０】
また、タッチパネル１は、複数の座標に対応した複数の検出領域を有するパネルであり、例えば、静電容量方式のタッチパネルを形成する。
また、タッチパネル１は、液晶パネル等の表示パネル（表示装置）上に、接着部材を介して積層されたパネルである。
第一実施形態では、タッチパネル１の形状を、一例として、縦方向の長さよりも横方向の長さが大きい（横長）形状とした場合について説明する。
なお、図１中には、タッチパネル１が有する検出領域のうち、縦方向に配列した三つの座標（容量検出単位：ノード）と横方向に配列した三つの座標とを合計した、九つの座標（三行×三列）に対応した九つの検出領域を表す。
【００１１】
また、図２中には、タッチパネル１が有する九つの検出領域のうち、図１中で左上に配置した一つの検出領域のみを表す。なお、一つの検出領域の一辺の長さは、例えば、４［ｍｍ］以上５［ｍｍ］以下の範囲内に設定する。
また、図２中に表すように、タッチパネル１は、一つの開口部２を囲む四本の線４ａ〜線４ｄからなる複数個の菱形のパターンが、複数本の導体線で形成されているタッチパネルである。
ここで、パターンＲＰは、菱形であるため、四本の線４ａ〜線４ｄで形成された、二つの鋭角部と二つの鈍角部を有する。
【００１２】
複数個の菱形のパターンＲＰは、それぞれ、二つの鋭角部である菱形側鋭角部を有する。
なお、図２中では、説明のために、複数個の菱形のパターンのうち一つのパターンのみを、符号ＲＰを付して表している。したがって、図２中では、開口部２及び四本の線４ａ〜線４ｄも、一つのみ表す。
また、図２中では、複数形成されている菱形側鋭角部のうち、一つの菱形側鋭角部のみを、符号６で表している。
【００１３】
図３中に表すように、タッチパネル１は、第一導電層１０と、第二導電層２０と、を備えている。
図３は、第一導電層１０の片面（図３中では、上側の面）に第一導体線１４を有し、第二導電層２０の片面（図３中では、下側の面）に第二導体線２４を有する構成に係る図示である。
なお、第一導電層１０と第二導電層２０の積層形態としては、互いに形成された第一導体線１４と第二導体線２４が、第一導電層１０及び第二導電層２０の上下何れの側に面する配置であっても良い。
【００１４】
また、第一導体線１４と第二導体線２４が直接対向して配置される場合には、第一導体線１４と第二導体線２４との間の短絡が回避される様に、接着剤等の絶縁材料を介して、第一導体線１４と第二導体線２４を配置する必要がある。
また、第一導電層１０と第二導電層２０とを兼ねる共通（単独）の絶縁基材の表面及び裏面に、第一導体線１４と第二導体線２４が形成された構成の採用も可能である。
第一実施形態では、一例として、第一導電層１０が、タッチパネル１のセンシング層を形成する場合について説明する。
【００１５】
また、第一導電層１０は、第一基材１２と、交差せずに配置された複数本の導体線（図中及び以降の説明では、「第一導体線１４」と表す）を含んでいる。
第一基材１２は、ガラスや樹脂フィルム等の透明な材料を用いて形成されている。
なお、説明のために、図１中では、第一導体線１４を実線で表し、図２中では、第一導体線１４を破線で表し、図３中では、第一導体線１４を白抜きの円で表す。また、図３中には、第一導体線１４のうち、第一導電層１０のＩＩＩ−ＩＩＩ線断面と重なる部分のみを表す。
なお、第一導電層１０の詳細な構成については、後述する。
【００１６】
第二導電層２０は、図３中に表すように、第一導電層１０に積層されている。なお、図３中には、第一導電層１０と第二導電層２０とを積層した方向を、「積層方向」として双方向矢印で表す。
第一実施形態では、一例として、第二導電層２０が、タッチパネル１のドライブ層を形成する場合について説明する。
また、第二導電層２０は、第二基材２２と、交差せずに配置された複数本の導体線（図中及び以降の説明では、「第二導体線２４」と表す）を含んでいる。
第二基材２２は、第一基材１２と同様、ガラスや樹脂フィルム等の透明な材料を用いて形成されている。
【００１７】
なお、説明のために、図１及び図２中では、第二導体線２４を実線で表し、図３中では、第二導体線２４を黒塗りの円で表す。また、図３中には、第二導体線２４のうち、第二導電層２０のＩＩＩ−ＩＩＩ線断面と重なる部分のみを表す。
なお、第二導電層２０の詳細な構成については、後述する。
図２中に表すように、第二導電層２０に第一導電層１０を積層した状態の平面視で、複数本の第一導体線１４と、複数本の第二導体線２４は、それぞれ、複数個の菱形のパターンＲＰが形成されるように配置されている。
【００１８】
なお、上述した平面視とは、第一導電層１０と第二導電層２０とを積層した方向に沿った視点である。
上述した構成により、タッチパネル１では、ドライブ層を形成する第二導電層２０に電圧が掛かることで発生する電気力線が、指先等の導体が接触していない場合には、センシング層を形成する第一導電層１０との間に存在する。
そして、指先等の導体が接触した場合には、電気力線の一部が、指先等の導体を介して接地される。そのため、第二導電層２０と第一導電層１０の間の静電容量が減少する。
このように、容量が変化する事で、タッチパネル１の操作面における指先等の導体の接触位置が検出される。
【００１９】
（第一導電層１０の構成）
図１から図３を参照しつつ、図４から図７を用いて、第一導電層１０の詳細な構成を説明する。
複数本の第一導体線１４は、例えば、金（Ａｕ）、銀（Ａｇ）、銅（Ｃｕ）等を用いて形成された金属線である。
第一実施形態では、一例として、第一導体線１４を、銅を用いて形成した場合について説明する。
【００２０】
第一導体線１４の線幅（太さ）は、例えば、３０［μｍ］以下に設定する。これは、第二導体線２４の線幅（太さ）についても、同様とする。
第一実施形態では、一例として、第一導体線１４の線幅を、２［μｍ］以上７［μｍ］以下の範囲内に設定した場合について説明する。これは、第二導体線２４の線幅についても、同様とする。
また、各第一導体線１４の連結点では、平面視で、二本の第一導体線１４が、直線状、「ｙ字」形状、「ｖ字」形状のうちいずれかの形状で連結されている。
これにより、第一導電層１０において、各第一導体線１４が交差する部分は形成されていない。
【００２１】
また、第一実施形態では、一例として、第一導体線１４の構成を、第一導電層１０において、第一導体線１４のみで、一つの開口部２を囲み、菱形のパターンＲＰを形成する四本の線（図２参照）が形成されることがない構成とした場合について説明する。
また、二本の第一導体線１４が連結された連結点には、平面視で、連結された二本の第一導体線１４がなす角度が鋭角である、導体線側鋭角部１６が形成されている。
なお、図４中では、複数形成されている導体線側鋭角部のうち、一つの導体線側鋭角部のみを、符号１６で表している。
また、導体線側鋭角部１６の数は、菱形側鋭角部６（図２参照）の数の５０［％］未満である。
【００２２】
また、複数本の第一導体線１４は、一つの検出領域に相当する第一導電層１０において、例えば、第一導電層１０の中心を基準として、予め設定した方向（図４中では、横方向）で点対称となるパターンを形成するように、配置されている。
また、複数本の第一導体線１４は、複数本の主電極線と、複数本の副電極線と、複数本のダミー線と、を含んでいる。
なお、図４中及び以降の説明では、第一導体線１４が含む主電極線を「第一主電極線１４Ｍ」と表し、第一導体線１４が含む副電極線を「第一副電極線１４Ｓ」と表し、第一導体線１４が含むダミー線を「第一ダミー線１４Ｄ」と表す。
また、図４中では、説明のために、第一主電極線１４Ｍを実線で表し、第一副電極線１４Ｓを破線で表し、第一ダミー線１４Ｄを第一主電極線１４Ｍよりも細い実線で表す。
【００２３】
第一主電極線１４Ｍ及び第一副電極線１４Ｓは、図外の電極に接続されている。
第一導体線１４が含む複数本の第一主電極線１４Ｍは、複数の第一主電極線群１８を形成している。
第一実施形態では、一例として、図４中に表すように、一つの検出領域において、第一導体線１４が含む複数本の第一主電極線１４Ｍが、二つの第一主電極線群１８を形成している場合について説明する。
二つの第一主電極線群１８は、それぞれ、図４中に表すように、一つの検出領域を、予め設定した方向（図４中では、横方向）に連続するパターンである。
【００２４】
また、各第一副電極線１４Ｓは、複数の異なる第一主電極線群１８同士を連結している。すなわち、二つの第一主電極線群１８同士は、第一副電極線１４Ｓのみで連結されている。
第一副電極線１４Ｓと第一主電極線群１８との連結点は、第一副電極線１４Ｓの端部を、第一主電極線群１８の両端部間に接続して形成されている。
第一ダミー線１４Ｄは、第一主電極線１４Ｍ及び第一副電極線１４Ｓに接続されておらず、電極とは電気的に絶縁されている。
【００２５】
また、第一導電層１０において、第一主電極線１４Ｍ及び第一副電極線１４Ｓのうち少なくとも一方と第一ダミー線１４Ｄとが交差した部分では、第一主電極線１４Ｍ及び第一副電極線１４Ｓの数と第一ダミー線１４Ｄの数との比率が、予め設定されている。
具体的には、上述した交差した部分を形成する四本の線のうち、第一主電極線１４Ｍ及び第一副電極線１４Ｓの数と第一ダミー線１４Ｄの数との比率は、図５（ａ）〜図５（ｄ）中に表すように、３：１、２：２、１：３、０：４のうちいずれか一つである。
なお、図５（ａ）〜図５（ｃ）中では、第一主電極線１４Ｍと第一ダミー線１４Ｄとが交差して形成された四本の線を表している。したがって、図５（ａ）〜図５（ｃ）中の第一主電極線１４Ｍを、第一副電極線１４Ｓに置き換えた場合であっても、同様の構成である。
【００２６】
また、図５（ａ）には、上述した交差した部分を形成する四本の線のうち、第一主電極線１４Ｍ及び第一副電極線１４Ｓの数と第一ダミー線１４Ｄの数との比率が、３：１である状態を表す。
同様に、図５（ｂ）には、上述した交差した部分を形成する四本の線のうち、第一主電極線１４Ｍ及び第一副電極線１４Ｓの数と第一ダミー線１４Ｄの数との比率が、２：２である状態を表す。
さらに、図５（ｃ）には、上述した交差した部分を形成する四本の線のうち、第一主電極線１４Ｍ及び第一副電極線１４Ｓの数と第一ダミー線１４Ｄの数との比率が、１：３である状態を表す。
【００２７】
そして、図５（ｄ）には、上述した交差した部分を形成する四本の線のうち、第一主電極線１４Ｍ及び第一副電極線１４Ｓの数と第一ダミー線１４Ｄの数との比率が、０：４である状態を表す。
また、図５（ａ）〜図５（ｃ）中に表すように、第一ダミー線１４Ｄの長さ方向に沿った仮想直線ＶＬと第一主電極線１４Ｍとのなす角度が鋭角となるように配置されている第一ダミー線１４Ｄと第一主電極線１４Ｍとの間には、空隙部ＳＰが形成されている。
同様に、図示は省略するが、仮想直線ＶＬと第一副電極線１４Ｓとのなす角度が鋭角となるように配置されている第一ダミー線１４Ｄと第一副電極線１４Ｓとの間には、空隙部ＳＰが形成されている（図５（ａ）〜図５（ｃ）を参照）。
仮想直線ＶＬは、第一ダミー線１４Ｄの長さ方向に沿った仮想的に延在する直線である。
【００２８】
また、図５（ｄ）中に表すように、二本の第一ダミー線１４Ｄが交差する位置には、図６中に表すように、空隙部ＳＰが形成されている。
すなわち、図６中に表す例では、交差して互いのなす角度が鋭角である二本の第一ダミー線１４Ｄの両方に対し、二本の第一ダミー線１４Ｄが交差する部分を切除するように、第一ダミー線１４Ｄの一部を切除して、空隙部ＳＰを形成する。
二本の第一ダミー線１４Ｄが交差する位置に空隙部ＳＰを形成する際には、図６中に表した例以外にも、図７（ａ）中に円ＣＥで囲んだ領域（加工領域）のうち、第一ダミー線１４Ｄが交差する位置をトリミング等で切除する例もある。これにより、図７（ｂ）や図７（ｃ）中に表すように、空隙部ＳＰを形成する。
【００２９】
すなわち、図７（ｂ）中に表す例では、交差して互いのなす角度が鋭角である二本の第一ダミー線１４Ｄの両方に対し、二本の第一ダミー線１４Ｄが交差する部分が残るように、第一ダミー線１４Ｄの一部を切除して、空隙部ＳＰを形成する。これに加え、図７（ｂ）中に表す例では、二本の第一ダミー線１４Ｄが交差して互いのなす角度が鋭角である二つの鋭角部のうち、一方の鋭角部を残す。
また、図７（ｃ）中に表す例では、交差して互いのなす角度が鋭角である二本の第一ダミー線１４Ｄの一方のみに対し、二本の第一ダミー線１４Ｄが交差する部分が残るように、第一ダミー線１４Ｄの一部を切除して、空隙部ＳＰを形成する。
【００３０】
また、第一導体線１４は、一つの開口部２を囲む四本の線４（図２参照）のうち一本の線の長さであるピッチＷＰ（ワイヤーピッチ）の１倍以上６倍以下に長さが設定された直線部分を有している。
第一実施形態では、一例として、第一導体線１４が有する直線部分の長さが、ピッチＷＰの１倍以上４倍以下に設定されている場合について説明する。
なお、図４中では、第一導体線１４が有する直線部分のうち、ピッチＷＰの４倍に長さが設定された一つの直線部分を、符号ＳＴａで表す。
また、ピッチＷＰは、例えば、１００［μｍ］以上４００［μｍ］以下の範囲内に設定する。これは、第二導電層２０においても同様である。
【００３１】
（第二導電層２０の構成）
図１から図７を参照しつつ、図８を用いて、第二導電層２０の詳細な構成を説明する。
なお、第一導電層１０と同様の構成については、説明を省略する場合がある。
複数本の第二導体線２４は、第一導体線１４と同様、例えば、金（Ａｕ）、銀（Ａｇ）、銅（Ｃｕ）等を用いて形成された金属線である。
第一実施形態では、一例として、第二導体線２４を、銅を用いて形成した場合について説明する。
また、各第二導体線２４の連結点では、各第一導体線１４の連結点と同様、平面視で、二本の第二導体線２４が、直線状、「ｙ字」形状、「ｖ字」形状のうちいずれかの形状で連結されている。
【００３２】
これにより、第二導電層２０において、各第二導体線２４が交差する部分は形成されていない。
また、第一実施形態では、一例として、第二導体線２４の構成を、第二導電層２０において、第二導体線２４のみで、一つの開口部２を囲み、菱形のパターンＲＰを形成する四本の線（図２参照）が形成されることがない構成とした場合について説明する。
また、二本の第二導体線２４が連結された連結点には、二本の第一導体線１４が連結された連結点と同様、平面視で、連結された二本の第二導体線２４がなす角度が鋭角である、導体線側鋭角部１６が形成されている。
【００３３】
なお、図８中では、複数形成されている導体線側鋭角部のうち、一つの導体線側鋭角部のみを、符号１６で表している。
また、導体線側鋭角部１６の数は、菱形側鋭角部６（図２参照）の数の５０［％］未満である。具体的には、第一導電層１０に形成されている導体線側鋭角部１６と、第二導電層２０に形成されている導体線側鋭角部１６との総数は、菱形側鋭角部６（図２参照）の数の５０［％］未満である。
また、複数本の第二導体線２４は、一つの検出領域に相当する第二導電層２０において、例えば、第二導電層２０の中心を基準として、予め設定した方向（図８中では、縦方向）で点対称となるパターンを形成するように、配置されている。
【００３４】
また、複数本の第二導体線２４は、複数本の主電極線と、複数本の副電極線と、複数本のダミー線と、を含んでいる。
なお、図８中及び以降の説明では、第二導体線２４が含む主電極線を「第二主電極線２４Ｍ」と表し、第二導体線２４が含む副電極線を「第二副電極線２４Ｓ」と表し、第二導体線２４が含むダミー線を「第二ダミー線２４Ｄ」と表す。
また、図８中では、説明のために、第二主電極線２４Ｍを実線で表し、第二副電極線２４Ｓを破線で表し、第二ダミー線２４Ｄを第二主電極線２４Ｍよりも細い実線で表す。
【００３５】
第二主電極線２４Ｍ及び第二副電極線２４Ｓは、図外の電極に接続されている。
第二導体線２４が含む複数本の第二主電極線２４Ｍは、複数の第二主電極線群２８を形成している。
第二実施形態では、一例として、図８中に表すように、一つの検出領域において、第二導体線２４が含む複数本の第二主電極線２４Ｍが、二つの第二主電極線群２８を形成している場合について説明する。
二つの第二主電極線群２８は、それぞれ、図８中に表すように、一つの検出領域を、予め設定した方向（図８中では、縦方向）に連続するパターンである。
【００３６】
すなわち、第一導電層１０が含む第一主電極線群１８が連続する方向と、第二導電層２０が含む第二主電極線群２８が連続する方向は、交差（直交）している。
また、各第二副電極線２４Ｓは、複数の異なる第二主電極線群２８同士を連結している。すなわち、二つの第二主電極線群２８同士は、第二副電極線２４Ｓのみで連結されている。
第二副電極線２４Ｓと第二主電極線群２８との連結点は、第一副電極線１４Ｓと第一主電極線１４Ｍとの連結点と同様、第二副電極線２４Ｓの端部を、第二主電極線群２８の両端部間に接続して形成されている。
【００３７】
第二ダミー線２４Ｄは、第二主電極線２４Ｍ及び第二副電極線２４Ｓと異なり、電極に接続されていない。
また、第二導電層２０において、第二主電極線２４Ｍ及び第二副電極線２４Ｓのうち少なくとも一方と第二ダミー線２４Ｄとが交差した部分では、第二主電極線２４Ｍ及び第二副電極線２４Ｓの数と第二ダミー線２４Ｄの数との比率が、予め設定されている。
具体的には、上述した交差した部分を形成する四本の線のうち、第二主電極線２４Ｍ及び第二副電極線２４Ｓの数と第二ダミー線２４Ｄの数との比率は、３：１、２：２、１：３、０：４のうちいずれか一つである（図５（ａ）〜図５（ｄ）を参照）。
【００３８】
また、第一導電層１０と同様、第二ダミー線２４Ｄの仮想直線と第二主電極線２４Ｍとのなす角度が鋭角となるように配置されている、第二ダミー線２４Ｄと第二主電極線２４Ｍとの間には、空隙部が形成されている（図５（ａ）〜図５（ｃ）を参照）。
同様に、第二ダミー線２４Ｄの長さ方向に沿った仮想直線と第二副電極線２４Ｓとのなす角度が鋭角となるように配置されている第二ダミー線２４Ｄと第二副電極線２４Ｓとの間には、空隙部が形成されている（図５（ａ）〜図５（ｃ）を参照）。
また、二本の第二ダミー線２４Ｄが交差する位置には、空隙部が形成されている（図５（ｄ）、図６、図７（ａ）〜図７（ｃ）を参照）。
【００３９】
また、第二導体線２４は、一つの開口部２を囲む四本の線４のうち一本の線の長さであるピッチＷＰ（ワイヤーピッチ）の１倍以上６倍以下に長さが設定された直線部分を有している。
第一実施形態では、一例として、第二導体線２４が有する直線部分の長さが、ピッチＷＰの１倍以上４倍以下に設定されている場合について説明する。
なお、図８中では、第二導体線２４が有する直線部分のうち、ピッチＷＰの３倍に長さが設定された一つの直線部分を、符号ＳＴｂで表す。
【００４０】
（第一導体線１４と第二導体線２４との積層状態）
図１から図８を参照しつつ、図９を用いて、第一導体線１４と第二導体線２４との積層状態を説明する。
上述した構成により、第二導電層２０に第一導電層１０を積層した状態の平面視では、第一導体線１４と第二導体線２４とを組み合わせた状態が、図９（ａ）〜図９（ｄ）中に表す四種類の状態のうち、いずれかの状態となる。
以下、図９（ａ）〜図９（ｄ）中に表す四種類の状態について説明する。
【００４１】
図９（ａ）中に表すように、第一導体線１４と第二導体線２４が交差する状態は、第一導電層１０において第一導体線１４が交差する状態では無く、第二導電層２０において第二導体線２４が交差する状態でも無い。
したがって、ウェットエッチングによるエッチング残り等により、他の部分（導体線同士が離間している部分等）と比較して導体線の線幅が太くなる状態が発生しない。
図９（ｂ）中に表すように、第一導体線１４と第二導体線２４が、それぞれ、連結された連結点で、連結した二本の導体線のなす角度が鈍角である状態は、連結した二本の導体線のなす角度が鋭角である場合と比較して、導体線の線幅が太くなることが抑制される。
これは、連結した二本の導体線のなす角度が鋭角である連結点には、連結した二本の導体線のなす角度が鈍角である連結点と比較して、エッチング残り等が発生しやすく、導体線の線幅が太くなる可能性が高いことに起因する。
【００４２】
図９（ｃ）中に表すように、第一導体線１４と第二導体線２４が、共に、連結された連結点で、連結した二本の導体線のなす角度が鋭角である状態は、エッチング残り等により、太り部分ＥＦが発生する箇所が二箇所となる。
また、図９（ｄ）中に表すように、第一導体線１４が連結された連結点で、連結した二本の第一導体線１４のなす角度が鋭角である状態は、エッチング残り等により、太り部分ＥＦが発生する箇所が一箇所となる。
図９（ｃ）及び図９（ｄ）中に表すように、導体線が連結された連結点で、連結した二本の導体線のなす角度が鋭角である状態は、エッチング残り等が発生し、導体線の線幅が太くなる可能性が高い。
【００４３】
これに対し、第一実施形態では、上述したように、第一導電層１０及び第二導電層２０に形成されている導体線側鋭角部１６の数は、第一導電層１０及び第二導電層２０に形成されている菱形側鋭角部６の数の５０［％］未満である。
このため、第一導電層１０及び第二導電層２０において、共に、導体線が連結された連結点における、導体線の線幅が太くなる箇所（太り部分ＥＦ）の増加を抑制することが可能となる。
【００４４】
（作用）
図１から図９を参照して、第一実施形態の作用を説明する。
第一実施形態のタッチパネル１を備えた携帯通信端末（携帯電話やノートＰＣ等）の使用時には、表示装置に表示されているアイコン等の位置（座標）を目標として、使用者が指先等でタッチパネル１に接触する。
そして、指先等が接触したタッチパネル１では、一つの第一導体線１４と複数本の第二導体線２４の各々との間における静電容量の変化が、第一導体線１４毎に検出されて、タッチパネル１の操作面における指先等の接触位置（座標）が検出される。
ここで、上述したように、第一実施形態のタッチパネル１は、一つの開口部２を囲む四本の線４ａ〜線４ｄからなる複数個の菱形のパターンＲＰが、複数本の導体線（第一導体線１４、第二導体線２４）で形成されている。
【００４５】
そして、交差せずに配置された複数本の導体線（第一導体線１４）を含む第一導電層１０と、第一導電層１０に積層され、且つ交差せずに配置された複数本の導体線（第二導体線２４）を含む第二導電層２０と、を備える。
これに加え、第二導電層２０に第一導電層１０を積層した状態の平面視で、第一導体線１４と第二導体線２４は、それぞれ、複数個の菱形のパターンＲＰが形成されるように配置されている。
これにより、第一導電層１０及び第二導電層２０のそれぞれで、複数本の導体線が交差しないようにしたことで、導体線の線幅が太くなることを抑制することが可能となる。
【００４６】
以上説明したように、第一実施形態のタッチパネル１であれば、複数個の菱形のパターンＲＰが複数本の導体線で形成されているタッチパネル１に対し、視認性が低下することを抑制することが可能となる。
なお、上述した第一実施形態は、本発明の一例であり、本発明は、上述した第一実施形態に限定されることはなく、この実施形態以外の形態であっても、本発明に係る技術的思想を逸脱しない範囲であれば、設計等に応じて種々の変更が可能である。
【００４７】
（第一実施形態の効果）
第一実施形態のタッチパネル１であれば、以下に記載する効果を奏することが可能となる。
（１）一つの開口部２を囲む四本の線４ａ〜線４ｄからなる複数個の菱形のパターンＲＰが、複数本の導体線（複数本の第一導体線１４、複数本の第二導体線２４）で形成されている。これに加え、交差せずに配置された複数本の導体線（第一導体線１４）を含む第一導電層１０と、第一導電層１０に積層され、且つ交差せずに配置された複数本の導体線（第二導体線２４）を含む第二導電層２０と、を備える。
【００４８】
そして、第二導電層２０に第一導電層１０を積層した状態の平面視で、第一導体線１４と第二導体線２４は、それぞれ、複数個の菱形のパターンＲＰが形成されるように配置されている。
このため、第一導電層１０及び第二導電層２０のそれぞれで、複数本の導体線が交差しないようにしたことで、導体線の線幅が太くなることを抑制することが可能となる。
その結果、複数個の菱形のパターンＲＰが複数本の導体線で形成されているタッチパネル１に対し、視認性が低下することを抑制することが可能となる。
【００４９】
（２）二本の導体線（二本の第一導体線１４、または、二本の第二導体線２４）が連結された連結点には、平面視で、連結された二本の導体線がなす角度が鋭角である導体線側鋭角部１６が形成されている。
これに加え、導体線側鋭角部１６の数が、複数個の菱形のパターンＲＰが有する鋭角部である菱形側鋭角部６の数の５０［％］未満である。
このため、第一導電層１０及び第二導電層２０において、共に、二本の導体線が連結された連結点における、導体線の線幅が太くなる箇所（太り部分ＥＦ）の増加を抑制することが可能となる。
その結果、第一導電層１０及び第二導電層２０のそれぞれが含む導体線の線幅が太くなることを抑制することが可能となり、タッチパネル１に対し、視認性が低下することを抑制することが可能となる。
【００５０】
（３）導体線が、電極に接続された複数本の主電極線（第一主電極線１４Ｍ、第二主電極線２４Ｍ）と、電極に接続された複数本の副電極線（第一副電極線１４Ｓ、第二副電極線２４Ｓ）と、を含む。
これに加え、複数本の主電極線が、平面視で予め設定した方向に連続するパターンである複数の主電極線群（第一主電極線群１８、第二主電極線群２８）を形成する。そして、複数の主電極線群同士が、副電極線のみで連結されている。
その結果、第一導電層１０及び第二導電層２０のそれぞれで、主電極線群と副電極線が交差しないパターンを形成することが可能となり、複数の主電極線群間で電流が流れることを回避することが可能となる。
【００５１】
（４）導体線（第一導体線１４、第二導体線２４）が、電極に接続されない複数本のダミー線（複数本の第一ダミー線１４Ｄ、複数本の第二ダミー線２４Ｄ）をさらに含む。
これに加え、主電極線及び副電極線のうち少なくとも一方とダミー線とが交差して形成された四本の線４のうち、主電極線及び副電極線の数とダミー線の数との比率は、３：１、２：２、１：３、０：４のうちいずれか一つである。
このため、主電極線及び副電極線のうち少なくとも一方が交差する部分を形成しないことで、第一導電層１０及び第二導電層２０において、共に、二本の導体線が連結された連結点における、導体線の線幅が太くなる箇所の増加を抑制することが可能となる。
その結果、第一導電層１０及び第二導電層２０のそれぞれが含む導体線の線幅が太くなることを抑制することが可能となり、タッチパネル１に対し、視認性が低下することを抑制することが可能となる。
【００５２】
（５）ダミー線の長さ方向に沿った仮想直線ＶＬと主電極線とのなす角度が鋭角となるように配置されているダミー線と主電極線との間には、空隙部ＳＰが形成されている。
このため、第一導電層１０及び第二導電層２０において、共に、鋭角部の数を減らすことが可能となり、ダミー線と主電極線が連結された連結点における、導体線の線幅が太くなる箇所の増加を抑制することが可能となる。
その結果、第一導電層１０及び第二導電層２０のそれぞれが含む導体線の線幅が太くなることを抑制することが可能となり、タッチパネル１に対し、視認性が低下することを抑制することが可能となる。
また、ダミー線の長さを短縮させることが可能となるため、タッチパネル１の寄生容量（浮遊容量）を減少させることが可能となり、静電容量の変化を検出する検出感度の低下を抑制することが可能となる。
【００５３】
（６）ダミー線の長さ方向に沿った仮想直線ＶＬと副電極線とのなす角度が鋭角となるように配置されているダミー線と副電極線との間には、空隙部ＳＰが形成されている。
このため、第一導電層１０及び第二導電層２０において、共に、鋭角部の数を減らすことが可能となり、ダミー線と副電極線が連結された連結点における、導体線の線幅が太くなる箇所の増加を抑制することが可能となる。
その結果、第一導電層１０及び第二導電層２０のそれぞれが含む導体線の線幅が太くなることを抑制することが可能となり、タッチパネル１に対し、視認性が低下することを抑制することが可能となる。
また、ダミー線の長さを短縮させることが可能となるため、タッチパネル１の寄生容量を減少させることが可能となり、静電容量の変化を検出する検出感度の低下を抑制することが可能となる。
【００５４】
（７）二本のダミー線が交差する位置には、空隙部ＳＰが形成されている。
このため、第一導電層１０及び第二導電層２０において、共に、鋭角部の数を減らすことが可能となり、二本のダミー線が連結された連結点における、導体線の線幅が太くなる箇所の増加を抑制することが可能となる。
その結果、第一導電層１０及び第二導電層２０のそれぞれが含む導体線の線幅が太くなることを抑制することが可能となり、タッチパネル１に対し、視認性が低下することを抑制することが可能となる。
また、ダミー線の長さを短縮させることが可能となるため、タッチパネル１の寄生容量を減少させることが可能となり、静電容量の変化を検出する検出感度の低下を抑制することが可能となる。
【００５５】
（８）導体線が、一つの開口部２を囲む四本の線４のうち一本の線の長さであるピッチＷＰの１倍以上６倍以下に長さが設定された直線部分ＳＴを有する。
このため、直線部分ＳＴの長さをピッチＷＰの６倍以下とすることで、直線部分ＳＴが、導体線の他の部分よりも、視認されやすくなることを抑制することが可能となる。
その結果、複数個の菱形のパターンＲＰが複数本の導体線で形成されているタッチパネル１に対し、視認性が低下することを抑制することが可能となる。
【００５６】
（９）導体線が有する直線部分の長さは、ピッチＷＰの１倍以上４倍以下に設定されている。
このため、直線部分ＳＴの長さをピッチＷＰの４倍以下とすることで、直線部分ＳＴの長さをピッチＷＰの４倍を超える長さとした場合よりも、直線部分ＳＴが、導体線の他の部分よりも、視認されやすくなることを抑制することが可能となる。
その結果、複数個の菱形のパターンＲＰが複数本の導体線で形成されているタッチパネル１に対し、視認性が低下することを抑制することが可能となる。
【００５７】
（変形例）
（１）第一実施形態では、第一導体線１４及び第二導体線２４により形成されるパターンを、図２中等に表すように、二つの主電極線群間の平均幅が、一つの検出領域の一辺の長さの半分以下である「スリムダイヤ形状」としたが、これに限定するものではない。
すなわち、第一導体線１４及び第二導体線２４により形成されるパターンを、例えば、図１０中に表すように、「ワイドダイヤ形状」としてもよい。なお、図１０中では、説明のために、図２中と同様、第一導体線１４を破線で表し、第二導体線２４を実線で表す。
ここで、ワイドダイヤ形状とは、二つの主電極線群間の平均幅が、一つの検出領域の一辺の長さの半分よりも大きい形状である。
【００５８】
（２）第一実施形態では、第一導体線１４及び第二導体線２４により形成されるパターンを、上述した「スリムダイヤ形状」としたが、これに限定するものではない。
上述した「ワイドダイヤ形状」及び「スリムダイヤ形状」は、広幅部／狭幅部が繰り返された構成であり、行方向／列方向の電極線は互いの狭幅部で交差する「ダイヤモンドパターン形状」の変形例での構成要素である。
検出電極のパターン形状としては、一定幅の帯状電極からなる行方向／列方向のストライプが交差した「マトリックスパターン電極（または、バーパターン電極）」もあり、本発明は、「マトリックスパターン電極」への適用も可能である。
【００５９】
すなわち、第一導体線１４及び第二導体線２４により形成されるパターンを、例えば、図１１中に表すように、一定幅の帯状電極の重ね合せからなるメッシュ状としてもよい。なお、図１１中では、説明のために、図２中と同様、第一導体線１４を破線で表し、第二導体線２４を実線で表す。
重ね合せによりメッシュパターンを構成する行方向／列方向の一定幅の帯状電極は、それぞれが「メッシュ構成要素」と言える。
メッシュ構成要素の一例としては、主電極線が導通方向（画素を配列した方向）に対して非平行であるとともに、主電極線に交差する方向に延びる副電極線が、断線を補ってノード内の複数本の主電極線に渡る範囲に延び、複数本の主電極線間の連結を担う構成が採用される。
【００６０】
主電極線、副電極線、それ以外のダミー線となる各導体の線分方向を、画素の配列方向に対して傾斜させる（非平行とする）ことにより、画素配列の方向、周期性と、ストライプ配列の方向、周期性との関係に起因する干渉（モアレ）の低減に寄与した設計が可能となる。
なお、メッシュ構成要素が上記構成の場合であっても、第一実施形態と同様、副電極線が主電極線と交差する構成は有していない。
【００６１】
（３）第一実施形態では、第一ダミー線１４Ｄの一部をトリミング等で切除して空隙部ＳＰを形成するパターンとして、図６及び図７中に表す例を開示した。
しかしながら、第一ダミー線１４Ｄの一部をトリミング等で切除して空隙部ＳＰを形成するパターンとしては、図６及び図７中に表す例の他にも、例えば、図１２（ａ）や図１２（ｂ）中に表す例がある。
図１２（ａ）中に表す例では、交差して互いのなす角度が鋭角である二本の第一ダミー線１４Ｄの一方のみを切除し、二本の第一ダミー線１４Ｄの他方を切除せずに、空隙部ＳＰを形成する。
図１２（ｂ）中に表す例では、交差して互いのなす角度が鋭角である二本の第一ダミー線１４Ｄの両方を切除し、二本の第一ダミー線１４Ｄが交差して互いのなす角度が鈍角である二つの鈍角部のうち、一方の鈍角部を残す。
【００６２】
（４）第一実施形態では、第一導電層１０が、タッチパネル１のセンシング層を形成し、第二導電層２０が、タッチパネル１のドライブ層を形成する構成としたが、これに限定するものではない。
すなわち、第一導電層１０が、タッチパネル１のドライブ層を形成し、第二導電層２０が、タッチパネル１のセンシング層を形成する構成としてもよい。
一般に、表示装置（携帯通信端末）の使用者側に配置されてタッチされる側の導電層がセンシング層と称され、駆動電圧が印加される側の導電層がドライブ層と称される。
また、センシング層やドライブ層を構成することになる第一導電層１０や第二導電層２０は、表示装置の画面サイズや形状に応じて、適宜に設計変更される。
【００６３】
例えば、縦横比が４：３や１６：９の横長画面では、水平方向にドライブ電極が延び、垂直方向にセンシング電極が延びる電極線の方向が選択され、縦横比に応じた行列の電極線本数が採用される場合もあり、観察者側／反観察者側（表示素子側）の配置関係が変更される場合もある。
第一導電層１０と第二導電層２０が別体でなく、共通（単独）の絶縁基材の表裏に第一導体線１４及び第二導体線２４が形成された構成のタッチセンサーフィルムでは、第一導体線１４及び第二導体線２４が、適宜、センシング層またはドライブ層の機能を受け持つことになり、設計思想に応じた機能（名称）を担うことが必要とされる。
【００６４】
（５）第一実施形態では、第一導体線１４の構成を、第一導電層１０において、第一導体線１４のみで、一つの開口部２を囲み、菱形のパターンＲＰを形成する四本の線（図２参照）が形成されることがない構成とした。同様に、第二導体線２４の構成を、第二導電層２０において、第二導体線２４のみで、一つの開口部２を囲み、菱形のパターンＲＰを形成する四本の線（図２参照）が形成されることがない構成とした。
しかしながら、第一導体線１４及び第二導体線２４のうち少なくとも一方の構成は、上記の構成に限定するものではない。
【００６５】
すなわち、例えば、図１３中に表すように、第一導体線１４の構成を、第一導電層１０において、第一導体線１４のみで、一つの開口部２を囲み、菱形のパターンＲＰを形成する四本の線４ａ〜線４ｄが形成される構成としてもよい。また、特に図示しないが、第二導体線２４に関しても同様である。
なお、図１３中では、説明のために、第一導体線１４を実線で表し、第二導体線２４を破線で表す。
図１３中に表すように、第一導体線１４のみで、パターンＲＰを形成する四本の線４ａ〜線４ｄが形成される場合であっても、第一導電層１０には、第一導体線１４が交差する箇所が形成されることはない。また、特に図示しないが、第二導体線２４に関しても同様である。
【実施例】
【００６６】
第一実施形態を参照しつつ、以下に記載する実施例により、比較例のタッチパネルと、本発明例（本発明例１、本発明例２）のタッチパネルについて説明する。
（比較例のタッチパネル）
比較例のタッチパネル１は、第一実施形態のタッチパネル１と異なり、図１４中に表すように、第一導電層１０において第一導体線１４が交差し、第二導電層２０において第二導体線２４が交差する構成である。
なお、図１４中では、説明のために、第一主電極線１４Ｍ及び第一副電極線１４Ｓを、まとめて、第一電極接続線１４Ｅとして実線で表し、第一ダミー線１４Ｄを第一電極接続線１４Ｅよりも細い実線で表す。同様に、図１４中では、説明のために、第二主電極線２４Ｍ及び第二副電極線２４Ｓを、まとめて、第二電極接続線２４Ｅとして破線で表し、第二ダミー線２４Ｄを第二電極接続線２４Ｅよりも細い破線で表す。
また、図１４中では、説明のために、導体線側鋭角部１６が形成されている位置を、黒塗りの円で表す。
【００６７】
（本発明例１のタッチパネル）
本発明例１のタッチパネル１は、図１５中に表すように、第一実施形態のタッチパネル１と同様、第一導電層１０において第一導体線１４が交差せず、第二導電層２０において第二導体線２４が交差しない構成である。
なお、図１５中では、説明のために、図１４中と同様、第一主電極線１４Ｍ及び第一副電極線１４Ｓを、まとめて、第一電極接続線１４Ｅとして実線で表し、第一ダミー線１４Ｄを第一電極接続線１４Ｅよりも細い実線で表す。同様に、図１５中では、説明のために、第二主電極線２４Ｍ及び第二副電極線２４Ｓを、まとめて、第二電極接続線２４Ｅとして破線で表し、第二ダミー線２４Ｄを第二電極接続線２４Ｅよりも細い破線で表す。
また、図１５中では、説明のために、図１４中と同様、導体線側鋭角部１６が形成されている位置を、黒塗りの円で表す。
【００６８】
（本発明例２のタッチパネル）
本発明例２のタッチパネル１は、第一実施形態のタッチパネル１と同様、第一導電層１０において第一導体線１４が交差せず、第二導電層２０において第二導体線２４が交差しない構成である。
これに加え、本発明例２のタッチパネル１は、本発明例１のタッチパネル１に対し、図１６中に表すように、第一ダミー線１４Ｄ及び第二ダミー線２４Ｄを切除した空隙部ＳＰを形成する構成である。すなわち、本発明例２のタッチパネル１は、二本のダミー線のみで形成された鋭角部が形成されていない構成である。
【００６９】
なお、図１６中では、説明のために、図１４中と同様、第一主電極線１４Ｍ及び第一副電極線１４Ｓを、まとめて、第一電極接続線１４Ｅとして実線で表し、第一ダミー線１４Ｄを第一電極接続線１４Ｅよりも細い実線で表す。同様に、図１６中では、説明のために、第二主電極線２４Ｍ及び第二副電極線２４Ｓを、まとめて、第二電極接続線２４Ｅとして破線で表し、第二ダミー線２４Ｄを第二電極接続線２４Ｅよりも細い破線で表す。
また、図１６中では、説明のために、図１４中と同様、導体線側鋭角部１６が形成されている位置を、黒塗りの円で表す。さらに、また、図１６中では、説明のために、空隙部ＳＰを形成する前の状態で導体線側鋭角部１６が形成されていた位置も、黒塗りの円で表す。
【００７０】
（鋭角部の計測）
以上の方法で製造した、比較例のタッチパネル１と、本発明例１及び２のタッチパネル１に対し、鋭角部の総数と、電極接続線鋭角部の総数と、ダミー鋭角部の総数を計測した。その結果を表１に表す。
ここで、電極接続線鋭角部の総数とは、二本の第一電極接続線１４Ｅのみで形成された鋭角部の数と、二本の第二電極接続線２４Ｅのみで形成された鋭角部の数との総数である。
【００７１】
また、ダミー鋭角部の総数とは、二本の第一ダミー線１４Ｄのみで形成された鋭角部の数と、二本の第二ダミー線２４Ｄのみで形成された鋭角部の数との総数である。
したがって、表１中における鋭角部の総数とは、電極接続線鋭角部の総数とダミー鋭角部の総数との和である。
また、比較例のタッチパネル１と、本発明例１及び２のタッチパネル１は、全て、図中に表す領域において、菱形側鋭角部の総数、すなわち、電極接続線鋭角部が形成される可能性が有る箇所と、ダミー鋭角部が形成される可能性が有る箇所の総数が１９０である。
【００７２】
【表１】
2018026055.tif 000003
【００７３】
（評価結果）
表１中に表されるように、比較例のタッチパネル１では、鋭角部の総数が１００となり、本発明例１のタッチパネル１では、鋭角部の総数が７７となり、本発明例２のタッチパネル１では、鋭角部の総数が５２となった。
したがって、本発明例１及び２のタッチパネル１は、比較例のタッチパネル１と比較して、鋭角部の総数が少なく、第一導電層１０及び第二導電層２０における二本の導体線が連結された連結点において、導体線の線幅が太くなる箇所が少ないことが確認された。
【００７４】
特に、本発明例２のタッチパネル１は、空隙部ＳＰを形成することで、ダミー鋭角部が形成されていないため、本発明例１のタッチパネル１と比較して、さらに鋭角部の総数が少なく、導体線の線幅が太くなる箇所が少ないことが確認された。
また、表１中に表されるように、比較例のタッチパネル１と、本発明例１及び２のタッチパネル１は、共に、菱形側鋭角部６の総数が、「１９０」である。
そして、比較例のタッチパネル１は、鋭角部の総数が１００であるため、導体線側鋭角部１６の数は、菱形側鋭角部６の数の５０［％］を超える５３［％］である。
【００７５】
一方、本発明例１のタッチパネル１は、鋭角部の総数が７７であるため、導体線側鋭角部１６の数は、菱形側鋭角部６の数の５０［％］未満の４１［％］である。
また、本発明例２のタッチパネル１は、鋭角部の総数が５２であるため、導体線側鋭角部１６の数は、菱形側鋭角部６の数の５０［％］未満の２７［％］である。
以上により、本発明例１及び２のタッチパネル１は、比較例のタッチパネル１と比較して、導体線の線幅が太くなることを抑制することが可能となり、視認性が低下することを抑制することが可能となることが確認された。
【符号の説明】
【００７６】
１…タッチパネル、２…開口部、４…開口部２を囲む線、６…菱形側鋭角部、１０…第一導電層、１２…第一基材、１４…第一導体線、１４Ｍ…第一主電極線、１４Ｓ…第一副電極線、１４Ｄ…第一ダミー線、１４Ｅ…第一電極接続線、１６…導体線側鋭角部、１８…第一主電極線群、２０…第二導電層、２２…第二基材、２４…第二導体線、２４Ｍ…第二主電極線、２４Ｓ…第二副電極線、２４Ｄ…第二ダミー線、２４Ｅ…第二電極接続線、２８…第二主電極線群、ＲＰ…パターン、ＳＰ…空隙部、ＣＥ…加工領域、ＷＰ…ピッチ、ＳＴａ…第一導体線１４が有する直線部分のうち、ピッチＷＰの４倍に長さが設定された一つの直線部分、ＳＴｂ…第二導体線２４が有する直線部分のうち、ピッチＷＰの３倍に長さが設定された一つの直線部分、ＥＦ…太り部分
【図１】
2018026055.tif 000004
【図２】
2018026055.tif 000005
【図３】
2018026055.tif 000006
【図４】
2018026055.tif 000007
【図５】
2018026055.tif 000008
【図６】
2018026055.tif 000009
【図７】
2018026055.tif 000010
【図８】
2018026055.tif 000011
【図９】
2018026055.tif 000012
【図１０】
2018026055.tif 000013
【図１１】
2018026055.tif 000014
【図１２】
2018026055.tif 000015
【図１３】
2018026055.tif 000016
【図１４】
2018026055.tif 000017
【図１５】
2018026055.tif 000018
【図１６】
2018026055.tif 000019